(57)【要約】【課題】トッププレートとプレートとの接着の信頼性とシール性を向上させた加熱調理器を提供することを目的とする。【解決手段】本体１を覆い、調理面を構成するトップフレームユニット３は、フレーム開口穴７を設けたトップフレーム４と、フレーム開口穴７にトップフレーム４の下方から配設されるプレート５と、プレート５の周縁部をトップフレーム４との間で挟み込むアンダーフレーム６とを有し、トップフレーム４とアンダーフレーム６間、プレート５の周縁部とトップフレーム４、およびアンダーフレーム６間にはそれぞれ凹部８〜１０を設け、この各凹部８〜１０に接着剤８ａ〜１０ａを施し三者を固着した。これによって、アンダーフレーム６および各凹部８〜１０の接着剤８ａ〜１０ａが有効に作用し、調理面を構成するプレート５の接着の信頼性とシール性が向上するものである。【選択図】図１
2007317416.tif 000002
【特許請求の範囲】
【請求項１】
内蔵部品を外郭で覆う本体と、前記本体の上面開口を覆って装備し、調理面を構成するトップフレームユニットとを備え、前記トップフレームユニットは、天面にフレーム開口穴を設けたトップフレームと、フレーム開口穴に対向してトップフレームの下方から配設される調理面となるプレートと、このプレートの周縁部をトップフレームとの間で挟み込むアンダーフレームとを有し、トップフレームとアンダーフレーム間、プレートの周縁部とトップフレーム間、およびプレートの周縁部とアンダーフレーム間にはそれぞれ凹部を設け、この各凹部に接着剤を施してトップフレーム、プレート、アンダーフレームの三者を固着した加熱調理器。
【請求項２】
トップフレームとアンダーフレームは、接着剤とは別に固定具で固定した請求項１に記載の加熱調理器。
【請求項３】
本体の外郭に吸気口を、トップフレームの後方側面には排気口をそれぞれ配設した請求項１に記載の加熱調理器。
【請求項４】
トップフレームの後方上面を上方に向けて形成し、その側面に排気口を配設した請求項３に記載の加熱調理器。
【請求項５】
トップフレームの排気口の端面にフレームカバーを配設して構成した請求項３または４に記載の加熱調理器。
【請求項６】
トップフレームの表面の一部に凹部を配設し、この凹部に表示シールを貼り付けるよう構成した請求項１〜５のいずれか１項に記載の加熱調理器。
【請求項７】
本体の外郭の上方にフランジ部を構成し、このフランジ部にシール部材を設けてフランジ部を接着できるよう構成した請求項１〜６のいずれか１項に記載の加熱調理器。
【請求項８】
本体の外郭を樹脂で構成した請求項１〜７のいずれか１項に記載の加熱調理器。
【発明の詳細な説明】
【技術分野】
【０００１】
本発明は、一般家庭のキッチンカウンター内に組み込まれる組込み型などの加熱調理器に関するものである。
【背景技術】
【０００２】
従来、この種の一般家庭で使用される加熱調理器の構成において、加熱手段のそれぞれに対応する位置に穴部を有するトッププレートと、穴部を覆う加熱プレートを備え、加熱プレートをトッププレートの下方から孔部に固定する構成が提案されている（例えば、特許文献１参照）。
【０００３】
これは、図１０に示すように、加熱調理器８１のトッププレート８２は多口の加熱手段に対応して穴部８３、８４、８５が配設され、後方に吸排気用の開口穴８６が配設されている。穴部８３、８４、８５にはそれぞれ対応して下方から加熱用のプレート８７、８８、８９が固定される。プレート８７、８８、８９のトッププレート８２への固定方法は、接着または着脱自在なビス締め固定とする構成になっている。
【特許文献１】特開２００４−２２７８４０号公報
【発明の開示】
【発明が解決しようとする課題】
【０００４】
しかしながら、前記従来の構成では、トッププレート８２とプレート８７、８８、８９を接着する場合、接着前に接着面に油や汚れが付着していると剥離しやすく接着強度、シール性を損なうという課題を有していた。
【０００５】
また、ビス締め固定する場合でも、トッププレート８２とプレート８７、８８、８９の接触面を均一に圧接することが困難で、隙間をシールパッキンなどで補っても熱劣化、隙間拡充によるシール性確保が不十分という課題を有していた。
【０００６】
本発明は、前記従来の課題を解決するもので、トッププレートとプレートとの接着の信頼性とシール性を向上させた加熱調理器を提供することを目的とする。
【課題を解決するための手段】
【０００７】
前記従来の課題を解決するために、本発明の加熱調理器は、内蔵部品を外郭で覆う本体と、前記本体の上面開口を覆って装備し、調理面を構成するトップフレームユニットとを備え、前記トップフレームユニットは、天面にフレーム開口穴を設けたトップフレームと、フレーム開口穴に対向してトップフレームの下方から配設される調理面となるプレートと、このプレートの周縁部をトップフレームとの間で挟み込むアンダーフレームとを有し、トップフレームとアンダーフレーム間、プレートの周縁部とトップフレーム間、およびプレートの周縁部とアンダーフレーム間にはそれぞれ凹部を設け、この各凹部に接着剤を施してトップフレーム、プレート、アンダーフレームの三者を固着したものである。
【０００８】
これによって、アンダーフレームおよび各凹部の接着剤が有効に作用し、調理面を構成するプレートの接着の信頼性とシール性が向上するものである。
【発明の効果】
【０００９】
本発明の加熱調理器は、調理面を構成するプレートの接着の信頼性とシール性が向上するものである。
【発明を実施するための最良の形態】
【００１０】
第１の発明は、内蔵部品を外郭で覆う本体と、前記本体の上面開口を覆って装備し、調理面を構成するトップフレームユニットとを備え、前記トップフレームユニットは、天面にフレーム開口穴を設けたトップフレームと、フレーム開口穴に対向してトップフレームの下方から配設される調理面となるプレートと、このプレートの周縁部をトップフレームとの間で挟み込むアンダーフレームとを有し、トップフレームとアンダーフレーム間、プレートの周縁部とトップフレーム間、およびプレートの周縁部とアンダーフレーム間にはそれぞれ凹部を設け、この各凹部に接着剤を施してトップフレーム、プレート、アンダーフレームの三者を固着した加熱調理器とすることにより、アンダーフレームおよび各凹部の接着剤が有効に作用し、調理面を構成するプレートの接着の信頼性とシール性が向上するものである。
【００１１】
第２の発明は、特に、第１の発明において、トップフレームとアンダーフレームは、接着剤とは別に固定具で固定したことにより、プレートがトップフレームとアンダーフレームに機械的に保持され、三者間の固着がより強固になりさらに接着の信頼性とシール性を向上することができる。
【００１２】
第３の発明は、特に、第１の発明において、本体の外郭に吸気口を、トップフレームの後方側面には排気口をそれぞれ配設したことにより、調理中の油煙や、蒸気を本体内部に吸い込むことがなく、部品の劣化や故障を引き起こすことなく信頼性を向上することができる。また、調理をする天面に不要な開口穴がないため、鍋や、調理小物を置くスペースが広くなり、使い勝手を向上することができる。
【００１３】
第４の発明は、特に、第３の発明において、トップフレームの後方上面を上方に向けて形成し、その側面に排気口を配設したことにより、排気口の開口面積を大きくでき、内部部品の冷却性能を向上することができる。またトップフレームの後方上面を上方に向けて形成したことは、トップフレームの後方以外の高さを逆に低くでき、組み込むキャビネット天面との段差を小さくしてフラット性を向上して清掃性や使い勝手を向上することができる。さらにトップフレームの後方上面を上方に向けて形成しているので、排気口側に調理中の煮汁や固形物が垂れ落ちるのを防ぐことができる。
【００１４】
第５の発明は、特に、第３または第４の発明において、トップフレームの排気口の端面にフレームカバーを配設して構成したことにより、特に、金属製のトップフレームなどでは端面の切り口に触れて怪我することなく清掃することができる。
【００１５】
第６の発明は、特に、第１〜第５のいずれか１つの発明において、トップフレームの表面の一部に凹部を配設し、この凹部に表示シールを貼り付けるよう構成したことにより、調理中、鍋などをトップフレーム上で移動するときなどに、熱やこすれによって表示シールが簡単に剥がれないよう保護することができる。
【００１６】
第７の発明は、特に、第１〜第６のいずれか１つの発明において、本体の外郭の上方にフランジ部を構成し、このフランジ部にシール部材を設けてフランジ部を接着できるよう構成したことにより、組み込むキャビネット天面と本体とのシール性が向上し、本体内部およびキャビネット内に水などが浸入するのを防ぐことができる。
【００１７】
第８の発明は、特に、第１〜第７のいずれか１つの発明において、本体の外郭を樹脂で構成したことにより、電気配線、制御部品や、冷却部品を直接外郭に取り付けでき、樹脂部材を介在する必要なく安価な部品で構成することができる。
【００１８】
以下、本発明の実施の形態について、図面を参照しながら説明する。なお、この実施の形態によって本発明が限定されるものではない。
【００１９】
（実施の形態１）
図１、図２は、本発明の実施の形態１における加熱調理器として、組込み型の誘導加熱調理器を例示している。
【００２０】
図１に示すように、本実施の形態における加熱調理器は、内蔵部品を外郭２で覆う本体１と、本体１の上面開口を覆って装備し、調理面を構成するトップフレームユニット３とを備えている。本実施の形態では、図示していないが、本体１内部に２口の誘導加熱装置と冷却装置と制御装置を配設しているものである。トップフレームユニット３と本体１の外郭２とは嵌合してビス締め固定されている。
【００２１】
そして、トップフレームユニット３は、天面にフレーム開口穴７を設けたトップフレーム４と、フレーム開口穴７に対向してトップフレーム４の下方から配設される調理面となる加熱用のプレート５と、このプレート５の周縁部をトップフレーム４との間で挟み込むアンダーフレーム６とを有している。
【００２２】
次に、図２に示すように、プレート５の周縁部とアンダーフレーム６間、トップフレーム４とアンダーフレーム６間、およびプレート５の周縁部とトップフレーム４間にはそれぞれ凹部８、９、１０を設け、この各凹部８、９、１０に接着剤８ａ、９ａ、１０ａを施してトップフレーム４、プレート５、アンダーフレーム６の三者を固着している。なお、凹部８は、プレート５の下方端面から内方に向けてプレート５とアンダーフレーム６の隙間が１ｍｍになるようにプレート５の外周縁に沿ってオフセットしてアンダーフレーム６に設けている。また、凹部９は、トップフレーム４とアンダーフレーム６の当接面に隙間が１ｍｍになるようにアンダーフレーム６に設けている。さらに、凹部１０は、プレート５の上方端面から内方に向けてトップフレーム４とプレート５の隙間が１ｍｍになるようにプレート５の外周縁に沿ってオフセットしてトップフレーム４に設けている。
【００２３】
また、トップフレームユニット３の天面には、フレーム開口穴７以外の開口穴はない構成としている。また、アンダーフレーム６の形状、構成は、プレート５の固定ができるものであればよく、特に、その形状、構成が限定されるものではない。
【００２４】
以上のように構成された誘導加熱調理器について、以下その動作、作用を説明する。
【００２５】
まず、アンダーフレーム６の凹部８に最適に接着強化される接着厚み１ｍｍを保持して加熱硬化型の接着剤８ａが塗布された後、プレート５が載置され、続いてアンダーフレーム６の凹部９およびトップフレーム４の凹部１０に最適に接着強化される接着厚み１ｍｍを保持して加熱硬化型の接着剤９ａ、１０ａが塗布され、トップフレーム４とプレート５とアンダーフレーム６が互いに固着されプレート５の調理面の接着強度およびシール性が確保でき、トップフレーム４の下方にプレート５がない部位ではトップフレーム４とアンダーフレーム６が互いに固着されるとともに支持されてトップフレーム４の変形やがたつきを少なくして剛性を向上させるように作用する。
【００２６】
また、トップフレーム４の上面とプレート５の上面の段差は、トップフレーム４の板厚＋１ｍｍとなり、加熱調理する面がトップフレーム４の面から１〜２ｍｍ程度下にあるため、鍋などを置く位置が決まりやすく、特に視覚障害者などにも判別しやすく使い勝手が向上するように作用する。さらに、セラミックスやガラスなどで構成されるプレート５に対してトップフレーム４全体がプレート５で構成されるものと比べて外力に対して剛性が向上し、かつ落下物などに対して段差でトップフレーム４がプレート５を保護してプレート５の割れを防止するように作用する。
【００２７】
なお、本実施の形態では、組込み型の誘導加熱調理器で説明したが、耐熱ガラスなどを天面に構成した加熱調理器であればすべて適用される。
【００２８】
（実施の形態２）
図３は、本発明の実施の形態２における加熱調理器を示している。実施の形態１と同一要素については同一符号を付してその説明を省略する。
【００２９】
本実施の形態においては、トップフレーム４に固定具としてかしめナット１１を所定の数、所定の部位にかしめて固定し、プレート５をアンダーフレーム６に載置してトップフレーム４と嵌合し、かしめナット１１に対応したアンダーフレーム６の穴から固定具であるビス１２を締め付けて固定する構成としている。
【００３０】
以上のように構成された誘導加熱調理器について、以下その動作、作用を説明する。
【００３１】
プレート５はトップフレーム４とアンダーフレーム６に挟まれ、互いに接着固定され、かつビス１２によって締結固定されることで、プレート５を機械的により強固に保持するように作用する。
【００３２】
このように、本実施の形態では、プレート５がトップフレーム４とアンダーフレーム６に機械的に保持され、三者間の固着がより強固になり、さらに接着の信頼性とシール性を向上することができる。
【００３３】
（実施の形態３）
図４は、本発明の実施の形態３における加熱調理器を示している。実施の形態１と同一要素については同一符号を付してその説明を省略する。
【００３４】
本実施の形態においては、本体１内部に冷却ファン２４を配設するとともに内蔵する部品を冷却するために外郭２の底面に吸気口２１を所定の開口面積分配設して、トップフレーム４の後方側面に排気口２２を配設して組み込むキャビネット天面２３との隙間から外に排気する構成としている。
【００３５】
以上のように構成された誘導加熱調理器について、以下その動作、作用を説明する。
【００３６】
本体１内に配設された冷却ファン２４でキャビネット内の雰囲気を吸気口２１から本体１の内部に取り込み、内蔵部品を冷却した後、図示していないが外郭２の空気通路から排気口２２に至り、本体１の後方に熱気を排出することで、調理中の油煙や蒸気などを吸気口２１から内部に吸い込むことがなく、冷却性能確保と内部部品の劣化、故障を防ぎ、信頼性が向上するように作用する。また、トップフレーム４の天面に吸気・排気用の開口穴がないため、トップフレーム４の天面を調理スペースとして広く使え、使い勝手を向上するように作用する。
【００３７】
（実施の形態４）
図５は、本発明の実施の形態４における加熱調理器を示している。実施の形態１、３と同一要素については同一符号を付してその説明を省略する。
【００３８】
本実施の形態においては、トップフレーム４の後方上面を上方に向けて湾曲形成したフレーム凸部３２を有し、その側面に排気口２２を配設したものである。なお、トップフレーム４はフレーム平滑部３１を有し、このフレーム平滑部３１よりフレーム凸部３２は上方に位置している。
【００３９】
以上のように構成された誘導加熱調理器について、以下その動作、作用を説明する。
【００４０】
フレーム平滑部３１とキャビネット天面２３の段差に対してフレーム凸部３２の頂点とキャビネット天面２３の段差が大きくなるよう構成することで、排気口２２の開口面積を大きく確保でき、実施の形態３と同様の空気通路を通り、本体１の後方に熱気を排出するものであり、冷却性能を向上するように作用する。また、フレーム平滑部３１の高さを小さくしてキャビネット天面２３との段差を小さくでき、清掃性、使い勝手を向上するよう作用する。また、調理中の吹きこぼれや固形物が排気口２２に垂れ落ちるのを防いで開口部を遮蔽するのを防ぐよう作用する。
【００４１】
（実施の形態５）
図６は、本発明の実施の形態５における加熱調理器を示している。実施の形態４と同一要素については同一符号を付してその説明を省略する。
【００４２】
本実施の形態においては、トップフレーム４の排気口２２の端面における開口エッジ４１を覆い隠すようにフレームカバー４２を配設して構成したものである。
【００４３】
以上のように構成された誘導加熱調理器について、以下その動作、作用を説明する。
【００４４】
トップフレーム４はステンレス製など金属で構成され、排気口２２を構成する開口エッジ４１の端面は鋭利な刃物状になっており、調理後のお手入れなどで手が触れると怪我しやすいため、フレームカバー４２で開口エッジ４１を覆い隠すことで、安全にお手入れしやすいように作用する。
【００４５】
（実施の形態６）
図７は、本発明の実施の形態６における加熱調理器を示している。実施の形態１と同一要素については同一符号を付してその説明を省略する。
【００４６】
本実施の形態においては、トップフレーム４の表面の一部、すなわち、プレート５の面を除くトップフレーム面５１に下方に０．５ｍｍ程度の段差を設けた凹部５２を配設し、ここに表示シール５３を貼り付けている。
【００４７】
以上のように構成された誘導加熱調理器について、以下その動作、作用を説明する。
【００４８】
調理中にトップフレーム面５１の上に鍋を置いたり滑らせて移動したりしても見やすい位置に表示シール５３が明示され、容易に剥がれたり変色したりすることがないように作用する。
【００４９】
（実施の形態７）
図８は、本発明の実施の形態７における加熱調理器を示している。実施の形態１と同一要素については同一符号を付してその説明を省略する。
【００５０】
本実施の形態においては、本体１の外郭２の上方にフランジ部６１を構成し、このフランジ部６１にシールテープのようなシール部材６３を設けてフランジ部６１をキャビネット天面に接着できるよう構成した。さらに詳述すると、箱曲げされた板金製の外郭２の上方４辺をそれぞれ鉛直曲げして、フランジ部６１を構成し、フランジ部６１の４つのコーナーにコーナー補強板６２をスポット溶接で固定して全周同一面を構成し、フランジ部６１の下面（裏側）にシール部材６３を貼り付け、図５に示すキャビネット天面２３に圧接させているものである。
【００５１】
以上のように構成された誘導加熱調理器について、以下その動作、作用を説明する。
【００５２】
本体１の外郭２をキャビネット内に収納し、外郭２のフランジ部６１でキャビネット天面２３と圧接して全重量を支える構成において、シール部材６３がフランジ部６１の全周に貼り付けられることで、キャビネット内部への水やほこりの侵入を防ぐように作用する。
【００５３】
（実施の形態８）
図９は、本発明の実施の形態８における加熱調理器を示している。実施の形態１と同一要素については同一符号を付してその説明を省略する。
【００５４】
本実施の形態においては、本体１内部に制御装置７１と冷却装置７２とを配設しているが、外郭２を樹脂で構成しているものである。
【００５５】
以上のように構成された誘導加熱調理器について、以下その動作、作用を説明する。
【００５６】
制御装置７１や冷却装置７２は電気的接続を含め、短絡防止のため樹脂部材で覆う構成が必要となるが、外郭２を樹脂にして、固定用のボスなどを配設することで直接外郭２に制御装置７１や冷却装置７２を取り付けることができ、部品点数を削減して安価な部品で構成できるよう作用する。また、本体１の全重量を軽量化して設置工事を楽にするとともに、図８におけるコーナー補強板６２に相当する部位を一体で成型することができるよう作用する。
【産業上の利用可能性】
【００５７】
以上のように、本発明にかかる加熱調理器は、調理面を構成するプレートの接着の信頼性とシール性が向上するものであるので、熱源の如何にかかわらず耐熱ガラス製のフラットデザインを有した全ての加熱調理器に適用できる。
【図面の簡単な説明】
【００５８】
【図１】本発明の実施の形態１における加熱調理器を一部切り欠いて示した斜視図
【図２】同加熱調理器の要部断面図
【図３】本発明の実施の形態２における加熱調理器の要部断面図
【図４】本発明の実施の形態３における加熱調理器の要部断面図
【図５】本発明の実施の形態４における加熱調理器の要部断面図
【図６】本発明の実施の形態５における加熱調理器の部分斜視図
【図７】本発明の実施の形態６における加熱調理器のトップフレームの斜視図
【図８】本発明の実施の形態７における加熱調理器の本体の平面図
【図９】本発明の実施の形態８における加熱調理器の要部断面図
【図１０】従来の組込み型加熱調理器のトップフレーム部を示す斜視図
【符号の説明】
【００５９】
１  本体
２  外郭
３  トップフレームユニット
４  トップフレーム
５  プレート
６  アンダーフレーム
７  フレーム開口穴
８〜１０  凹部
８ａ〜１０ａ  接着剤
１１、１２  固定具（かしめナット、ビス）
２１  吸気口
２２  排気口
２３  キャビネット天面
３２  フレーム凸部
４１  開口エッジ
４２  フレームカバー
５２  凹部
５３  表示シール
６１  フランジ部
６３  シール部材
【図１】
2007317416.tif 000003
【図２】
2007317416.tif 000004
【図３】
2007317416.tif 000005
【図４】
2007317416.tif 000006
【図５】
2007317416.tif 000007
【図６】
2007317416.tif 000008
【図７】
2007317416.tif 000009
【図８】
2007317416.tif 000010
【図９】
2007317416.tif 000011
【図１０】
2007317416.tif 000012